(57)【要約】  使い捨て吸収性物品は、前側腰縁部、後側腰縁部、トップシート、トップシートの少なくとも部分に取り付けられたバックシートおよびこれらの間に配置された吸収性コアを有する。腰部部材は、使い捨て吸収性物品の着用者に面する表面、または後側腰縁部および前側腰縁部に隣接するトップシートとバックシートとの間に取り付けられる。腰部部材は、使い捨て吸収性物品の外側表面に取り付けられない。腰部部材の少なくとも部分が、使い捨て吸収性物品の外側にある視点から可視であり、それにより完成された前側腰縁部の外観または完成した後側腰縁部の外観を提供するように、腰部部材は、前側腰部部材および後側腰部部材から外側に向かって延伸する。
2009511158.tif 000002
【特許請求の範囲】
【請求項１】
着用者の下側胴体周囲に着用するための使い捨て吸収性物品（１００、５００、５０２、６００）であって、前記使い捨て吸収性物品は、前側腰部区域（１０６）、後側腰部区域（１０８）、前記前側と後側腰部区域との間に配置された股領域（１１０）、前側腰縁部（５０、５１０、５５０）、および後側腰縁部（５１）を有し、前記使い捨て吸収性物品は更に、
トップシート（１７０、６７０）と、
前記トップシートの少なくとも一部に取り付けられたバックシート（１７４、６７４）と、
前記トップシートとバックシートとの間に配置された吸収性コア（１７８）と、
前記使い捨て吸収性物品の着用者に面する表面（２１５、３１５、１０１５）、または前記前側腰縁部と前記後側腰縁部に隣接した、前記トップシートとバックシートとの間に取り付けられる腰部部材（１８０）であって、前記腰部部材は前記使い捨て吸収性物品の外側表面（２１７）には取り付けられず、前記腰部部材の少なくとも一つの領域が前記使い捨て吸収性物品の外部の視点から可視であり、それにより洗練された前記前側腰縁部の外観または洗練された前記後側腰縁部の外観を提供するように、前記腰部部材が、前記前側腰縁部および前側腰縁部から外側に向かって延伸することを特徴とする前記腰部部材と、
を含む使い捨て吸収性物品。
【請求項２】
前記腰部部材が、前記前側腰縁部に隣接する前記使い捨て吸収性物品に取り付けられる第１セグメント（１８１、５２１、５８１）を含み、前記第１セグメントが可視領域（１８１Ａ、５２１Ａ、５８１Ａ）および取付け領域（１８１Ｂ、５２１Ｂ、５８１Ｂ）を包含し、前記可視領域が外部の視点から可視であるように、前記可視領域が前記前側腰縁部を越えて縦方向に延伸し、および前記可視領域が色、グラフィック、テクスチャ特徴、またはそれらの組み合わせを含む、請求項１に記載の使い捨て吸収性物品。
【請求項３】
前記腰部部材が、前記後側腰縁部に隣接する前記使い捨て吸収性物品に取り付けられる第２セグメント（１８２）をさらに含み、前記第２セグメントが可視領域および取付け領域を有し、前記可視領域が、前記可視領域が外部の視点から可視であるように、前記後側腰縁部を越えて縦方向に延伸し、および前記可視領域が色、グラフィック、テクスチャ特徴、またはそれらの組み合わせを含む、請求項１または２に記載の使い捨て吸収性物品。
【請求項４】
前記第１セグメントの前記取付け領域が、色、グラフィック、テクスチャ特徴、またはそれらの組み合わせを含み、前記第１セグメントの前記取付け領域が、前記使い捨て吸収性物品の外部の視点から、前記トップシートおよび前記バックシートを通して可視である、請求項２に記載の使い捨て吸収性物品。
【請求項５】
前記第２セグメントの前記取付け領域が、前記第２セグメントの前記取付け領域が前記使い捨て吸収性物品の外部の視点から、前記トップシートおよび前記バックシートを通して可視であるようなグラフィックを含む、請求項３に記載の使い捨て吸収性物品。
【請求項６】
前記第１セグメントの前記可視領域が、扇形または鋸歯状の外側表面を含む、請求項１〜５のいずれか一項に記載の使い捨て吸収性物品。
【請求項７】
前記第１セグメントが弾性的延伸性であり、弛緩した状態の前記第１セグメントが前記使い捨て吸収性物品の前側腰部区域に皺を形成する、請求項１〜６のいずれか一項に記載の使い捨て吸収性物品。
【請求項８】
前記第２セグメントが弾性的延伸性であり、弛緩した状態の前記前記第２セグメントが前記使い捨て吸収性物品の前記後側腰部区域に皺を形成する、請求項１〜７いずれか一項に記載の使い捨てパンツ。
【請求項９】
前記使い捨て吸収性物品が、前記前側腰部区域から外側に向かって延伸する一対の弾性的延伸性前側サイドパネル（１２４）、およびに取付け可能な一対の弾性的延伸性後側サイドパネル（１３０、２３０）をさらに含み、前記一対の前側サイドパネルおよび前記一対の後側サイドパネルが互いに取付け可能であり、それにより腰部開口部および一対の脚開口部を形成する、請求項１〜８に記載の使い捨て吸収性物品。
【請求項１０】
前記腰部部材が前記前側腰部区域の前記トップシートおよび前記一対の前側サイドパネルのそれぞれに取り付けられる第１セグメント、および後側腰部区域の前記トップシートおよび前記一対の後側サイドパネルのそれぞれに取り付けられる第２セグメントを含み、前記第１セグメントおよび前記第２セグメントは、前記使い捨てパンツの着用者に面する表面に取り付けられ、および前記使い捨てパンツの外側表面には取り付けられず、前記第１セグメントおよび前記第２セグメントは、前記使い捨てパンツが着用者に着用されたときに、前記腰部部材が前記着用者の腰部を取り囲むことができるように取り付けられることができ、および前記第１セグメントが前記前側腰縁部から外側に向かって延伸し、および前記第２セグメントが前記後側腰縁部から外側に向かって延伸し、前記第１セグメントの少なくとも一つの領域および前記第２セグメントの少なくとも一つの領域が前記使い捨て吸収性物品の外部の視点から可視であり、これにより洗練された前側腰縁部の外観および洗練された後側腰縁部の外観を提供する、請求項６〜９に記載の使い捨て吸収性物品。
【発明の詳細な説明】
【技術分野】
【０００１】
本発明は、完成したウエストバンドの外観を包含する、おむつ、大人用失禁用物品などの使い捨て吸収性物品に関する。より詳細には、本発明は、完成したウエストバンドの外観、および任意で完成した脚開口部を提供する使い捨て吸収性物品に関する。
【背景技術】
【０００２】
従来のテープ式おむつ、プルオンおむつ、トレーニングパンツ、生理用ナプキン、パンティライナー、失禁用ブリーフなどの吸収性物品は、尿および／または他の排泄物を受け入れ、封じ込める効果を提供することが、以前から知られている。最も人気を得ている一つの吸収性物品はプルオンおむつであり、特に、歩くことができる排泄しつけ中の子供用のプルオンおむつである。
【０００３】
プルオンおむつは、一般に前側腰部区域と、後側腰部区域と、前側腰部区域と後側腰部区域の間の股部区域とを包含する。前側腰部区域及び後側腰部区域は、プルオンおむつの前側腰縁部及び後側腰縁部に隣接して配置することができる。典型的には、前側腰部区域及び後側腰部区域は一対のサイドパネルを介して接合可能であり、腰開口部及び一対の脚開口部を形成する。前側腰縁部及び後側腰縁部は腰開口部を構成し、一対の長手方向縁部は脚開口部の実質的な部分を構成することができる。
【０００４】
通常、プルオンおむつは、前側腰縁部、後側腰縁部、及び長手方向縁部を未仕上げとして残している。典型的には、これら縁部はトップシート及びバックシートを含んでいる。未仕上げの縁部の欠点は、消費者が一般に未仕上げの縁部を低い品質の商品と結びつけて考えることである。
【０００５】
前側腰縁部、後側腰縁部、及び長手方向縁部に縁部仕上げ材を提供することは既知である。しかしながら、そのプロセス、特に前側腰縁部または後側腰縁部に縁部仕上げ材を装着するのに手間がかかる場合がある。例えば、縁部仕上げ材は、典型的には前側腰縁部および後側腰縁部のあたりで折り畳まれ、前側腰部区域及び後側腰部区域の両方にトップシートとバックシートが取り付けられる。しかしながら、前側腰縁部および後側腰縁部のあたりで縁部仕上げ材を折り畳むことは、プロセスの複雑さを増加させる可能性がある。
【発明の開示】
【発明が解決しようとする課題】
【０００６】
その結果、使い捨て吸収性物品の、完成した前側腰縁部の外観及び完成した後側腰縁部の外観を提供し、完成した前側腰縁部および／または後側腰縁部の外観を提供するためのプロセスの複雑さを軽減する必要性が存在している。加えて、使い捨て吸収性物品の、完成した前側および／または後側腰縁部を、完成した長手方向縁部とともに提供し、それによって品質を消費者に伝する必要性が存在している。
【課題を解決するための手段】
【０００７】
本発明にしたがって構成された使い捨て吸収性物品は完成した腰縁部を提供し、それにより消費者に品質を伝えることが可能である。一実施形態では、使い捨て吸収性物品は、前側腰部区域、後側腰部区域、前記前側と後側腰部区域との間に配置された股領域、前側腰縁部、および後側腰縁部を含む。前記使い捨て吸収性物品は、トップシート、前記トップシートの少なくとも部分に取り付けられるバックシート、および前記トップシートとバックシートとの間に配置される吸収性コアを更に含む。
【０００８】
前記使い捨て吸収性物品は、前記使い捨て吸収性物品の着用者に面する表面または前記前側腰縁部と前記後側腰縁部に隣接した、前記トップシートとバックシートとの間に取り付けられる腰部部材を更に含む。さらに、前記腰部部材は、前記使い捨て吸収性物品の外側表面（２１７）に取り付けられない。前記腰部部材の少なくとも一部の領域が使い捨て吸収性物品の外部の視点から可視であり、それにより完成した前側腰縁部の外観または完成した後側腰縁部の外観を提供するように、前記腰部部材が、前記前側腰縁部および前側腰縁部から外側に向かって延伸する。
【０００９】
別の実施形態では、使い捨てパンツはシャーシを含む。シャーシは、トップシート、前記トップシートの少なくとも部分に取り付けられるバックシート、前記トップシートと前記バックシートとの間に配置される吸収性コア；前側腰縁部に隣接して配置される前側腰部区域、後側腰縁部に隣接して配置される後側腰部区域、および前記前側腰部区域と前記後側腰部区域との間に配置される股領域；および第１長手方向縁部および第２長手方向縁部を含む。
【００１０】
使い捨てパンツは、前記前側腰部区域の前記シャーシに取り付けられる一対の前側サイドパネルをさらに含む。第１前側サイドパネルは、前記前側腰部区域の前記第１長手方向縁部から外側に向かって延伸し、第２前側サイドパネルは、前記前側腰部区域の前記第２長手方向縁部から外側に向かって延伸する。使い捨てパンツは、前記後側腰部区域の前記シャーシに取り付けられた一対の後側サイドパネルを更に含む。第１後側サイドパネルは、前記後側腰部区域の前記第１長手方向縁部から外側に向かって延伸し、第２後側サイドパネルは、前記後側腰部区域の前記第２長手方向縁部から外側に向かって延伸する。前記一対の前側サイドパネルおよび前記一対の後側サイドパネルが互いに取付け可能であり、それにより腰部開口部および一対の脚開口部を形成する。
【００１１】
使い捨てパンツは、第１セグメントおよび第２セグメントを有する腰部部材を更に含む。前記第１セグメントは、前記前側腰部区域の前記トップシートおよび前記一対の前側サイドパネルのそれぞれに取り付けられ、前記第２セグメントは、前記後側腰部区域の前記トップシートおよび前記一対の後側サイドパネルのそれぞれに取り付けられる。前記第１セグメントおよび前記第２セグメントは、前記使い捨てパンツの着用者に面する表面上の前記トップシートに取り付けられる。前記第１セグメントおよび前記第２セグメントは、前記使い捨てパンツが着用者に着用されたときに、前記腰部部材が前記着用者の腰部を取り囲むことができるように前記使い捨てパンツに取り付けられる。更に、前記第１セグメントが前記前側腰縁部から外側に向かって延伸し、および前記第２セグメントが前記後側腰縁部から外側に向かって延伸し、前記第１セグメントの少なくとも一部の領域および前記第２セグメントの少なくとも一部の領域が前記使い捨て吸収性物品の外部の視点から可視であり、これにより完成した前側腰縁部の外観および完成した後側腰縁部の外観を提供する。
【００１２】
別の実施形態では、上記の腰部部材に加えて、使い捨てパンツ様物品は、前側腰部区域、後側腰部区域、およびこれらの間に配置される股領域を更に含んでもよい。外側カバーは、使い捨てパンツ様吸収性物品の外側表面を画定することのできる第１バックシート層をさらに含んでもよい。
【００１３】
使い捨てパンツ様吸収性物品は、一対の弾性的延伸性前側サイドパネルおよび一対の弾性的延伸性後側サイドパネルを更に含んでもよい。前記前側サイドパネルおよび前記後側サイドパネルは、前記物品の着用者に面する表面に配置されることができ、前記第１バックシート層の部分に取り付けることができる。
【００１４】
使い捨てパンツ様吸収性物品は、第１長手方向縁部および第２長手方向縁部を有する吸収性組立体を更に含んでもよい。前記吸収性組立体は、トップシート、前記トップシートと結びつく第２バックシート層、前記トップシートと前記第２バックシート層との間に配置される吸収性コアを含んでもよい。前記第２バックシート層は前記第１バックシート層の上に配置することができる。前記吸収性組立体は、前記第１および第２長手方向縁部が各前記前側および後側サイドパネルと離間した関係であり、それによりこれらの間の前側縦方向に配向した非弾性部分および後側縦方向に配向した非弾性部分を画定するように、前記使い捨てパンツ様吸収性物品の前記着用者に面する表面に取り付けることが可能である。
【００１５】
前記使い捨てパンツ様吸収性物品は、第１バリアカフおよび第２バリアレッグカフをさらに含んでもよい前記第１バリアカフは前記吸収性組立体の前記第１長手方向縁部に取り付けることができる前記第２バリアカフは前記吸収性組立体の前記第２長手方向縁部に取り付けることができる。
【発明を実施するための最良の形態】
【００１６】
定義：
用語「吸収性物品」は、本明細書で使用するとき、排泄物を吸収して封じ込める装置を指し、より具体的には、着用者の身体に当ててまたは近接して配置され、身体から排出される様々な排出物を吸収して封じ込める装置を指す。
【００１７】
用語「活性化する」、「活性化」、「機械的活性化」または「リングローリング」は、複数の噛み合い歯群の間の要素を噛み合わせるプロセスを指す。このプロセスは、積層構造を弾性的延伸性にするために使用することができる。
【００１８】
用語「取り付けられた」は、要素を互いに且つその構成材料に締着する、固定する、または接合するのに適したいずれかの方法による、締着、接着、結合などによって、要素が接続または合体されることを指す。接着剤結合、圧力接着、熱接着、機械的締着など、要素を互いに取り付けるための多くの好適な方法が周知である。そのような取付け方法を使用して、要素を、特定の領域全体にわたって連続的にまたは断続的に互いに取り付けてもよい。用語「取り付けられた」は別の要素と一体に形成された要素を含む。
【００１９】
用語「波形」または「皺」は、基材または積層構造に発生する丘部分と谷部分を記述するために使用される。どちらの用語も、即ち、「波形」も「皺」も、作製された丘部分と谷部分のいずれかが事実上均一であることを要求しない。
【００２０】
本明細書で使用するとき、「デニール」は不織布の長さ９，０００ｍあたりの不織布の重量の測定値を指す。特に断りのない限り、測定値は繊維あたりのデニールである。
【００２１】
用語「おむつ」は、本明細書で使用するとき、一般に乳幼児及び失禁症者により着用者の腰及び脚を囲むように胴体下部周りに着用される、並びに尿及び糞便排泄物を受け入れて封じ込めるように特に適合された、吸収性物品を指す。用語「おむつ」は、本明細書で使用するとき、以下で定義される「パンツ」も包含する。
【００２２】
用語「使い捨て」は、本明細書において、洗濯する、もしくは吸収性物品として再生または再利用することが一般に意図されない（即ち、単一回の使用の後で廃棄する、好ましくはリサイクルする、堆肥化する、ないしは環境に適合する方法で廃棄することを意図される）吸収性物品を記述するために使用される。
【００２３】
本明細書で使用するとき、用語「分離した縁部部材」または「縁部部材」は、長手方向縁部周囲を包むまたは使い捨て吸収性物品の長手方向縁部から外に向かって延伸する分離した縁部部材を指す。本明細書に記載される分離した縁部部材は、吸収性物品を身に着けたときに吸収性物品の脚開口部を形成する、使い捨て吸収性物品の長手方向縁部の部分のソフトで完成された外観を提供することができる。
【００２４】
「弾性的延伸性」は、本明細書で使用するとき、延伸性材料を延ばす力を除去した後、凡そその元の寸法に戻る能力を有する延伸性材料の特質を指す。本明細書において、「延伸性がある」と記載されるあらゆる材料または要素は、別途規定がない限り、「弾性的延伸性」であってもよい。
【００２５】
用語「長手方向」は、物品の一方の腰縁部から物品の対向する腰縁部まで伸び、且つ、物品の最長直線寸法に一致する線に対して概ね平行な方向を指す。長手方向の±４５°以内の方向は、「長手方向」であると見なされる。
【００２６】
用語「横方向」は、物品の一方の側縁部から物品の対向する側縁部まで伸び、且つ、長手方向に対して概ね直角であって長手方向と同一平面内にある方向を指す。横方向の±４５°以内の方向は、「横方向」であると見なされる。
【００２７】
本明細書で使用するとき、用語「着用者に面した」および「外側に面した」は、要素或いは要素または要素の群の表面の相対的位置を指す。「着用者に面した」は、着用中に要素または表面が着用者寄りに位置するという意味も含む。「外側に面した」は、着用中に要素または表面が着用者からより離れている（即ち、要素または表面が、使い捨て吸収性物品の上から着用することのできる着用者の衣類に近い）という意味も含む。
【００２８】
用語「パンツ」、「トレーニングパンツ」、「閉じたおむつ」、「予め締結されたおむつ」、および「プルオンおむつ」は、本明細書で使用するとき、幼児または成人着用者用に設計された腰開口部および脚開口部を有する使い捨て衣類を指す。パンツは、パンツが着用者上に装着される前に閉じた腰および脚開口部を有するように構成され得るか、あるいは、パンツは、着用者上にある間に腰が閉じられ、脚開口部が形成されるように構成され得る。パンツは、なんらかの適切な技法により予形成されてもよく、再締結可能及び／又は再締結不可能な結合（例えば、縫い目、溶着、接着剤、粘着性結合、締結具など）を用いて物品の一部を互いに取り付けることが挙げられるが、これらに限定されない。パンツは、物品の周囲に沿ういずれかの箇所で、（例えば、側面締着されて、前腰部締着されて、または後腰部締着されて）予形成されてもよい。好適なパンツの例は、米国特許第５，２４６，４３３号、米国特許第５，５６９，２３４号、米国特許第６，１２０，４８７号、米国特許第６，１２０，４８９号、米国特許第４，９４０，４６４号、米国特許第５，０９２，８６１号、米国特許第５，８９７，５４５号、米国特許第５，９５７，９０８号、および米国特許公開第２００３／０２３３０８２  Ａ１号に開示されている。
【００２９】
本明細書で使用するとき、「触知性相違（tactile difference）」は第１要素と第２要素との間の認知可能な相違、即ち、少なくとも触ることにより認知可能な相違を指す。例えば、触知性相違は、腰部部材と腰部部材が取り付けられる使い捨て吸収性物品の一部または要素との間に存在してもよい。
【００３０】
本明細書で使用するとき、「視点（vantage point）」は、対象物（１または複数）、要素（１または複数）、物品（１または複数）、またはそれらの任意の組み合わせを見ることの可能な位置を指す。
【００３１】
本明細書で使用するとき、用語「腰部部材」は、使い捨て吸収性物品の前側腰縁部および／または後側腰縁部から外側に延伸する分離した部材を指す。本明細書に記載されるとき、「腰部部材」は、使い捨て吸収性物品の前側腰縁部および／または後側腰縁部の部分にソフトで完成した外観を提供する。
【００３２】
説明：
本発明に従って構成された使い捨て吸収性物品は、完成した前側腰縁部の外観および／または完成した後側腰縁部の外観を提供し、それにより消費者に高品質性を伝えることが可能である。加えて、本発明に従って構成された使い捨て吸収性物品は、完成された長手方向縁部の外観を提供することができる。
【００３３】
図１Ａに示すように、本発明に従って構成された使い捨て吸収性物品１００は、シャーシ１４０、前側サイドパネル１２４、および後側サイドパネル１３０を含んでもよい。前側サイドパネル１２４および後側サイドパネル１３０は弾性的延伸性であり得る。図示されるように、使い捨て吸収性物品１００は締着前の構造であり、腰開口部１３６および一対の脚開口部１３２（図中では一つだけの脚開口部）をさらに含んでいる。
【００３４】
いくつかの実施形態では、使い捨て吸収性物品１００が締着された時、前側サイドパネル１２４が後側サイドパネル１３０とともに脚開口部１３２の部分を形成し得る。前側サイドパネル１２４および／または後側サイドパネル１３０は、着用者の脚の外側表面に配置される脚開口部１３２の部分を形成し得る。使い捨て吸収性物品１００の股領域は第１腰部区域および第２腰部区域とともに、着用者の脚の内側表面に配置される脚開口部１３２の部分を形成し得る。
【００３５】
使い捨て吸収性物品１００は、腰部部材１８０をさらに含んでもよい。腰部部材１８０は弾性的延伸性であり得、着用者の腰部を取り囲むことができる。図示されるように、腰部部材１８０は、腰部部材１８０の区域は使い捨て吸収性物品１００の外部の視点から可視であるように、前側腰縁部５０から外側に向かっておよび後側腰縁部５１から外側に向かって延伸してもよい。一般に、腰部部材１８０はシャーシ１４０に取り付けられる前は張力を受けていることができる。そうして腰部部材１８０に印加された張力の少なくとも一部が解除されると、腰部部材１８０および腰部部材１８０に取り付けられるシャーシ１４０の部分が波形をつける。シャーシ１４０のこの波形により、腰部部材１８０およびシャーシ１４０が着用者の腰部の周りで拡張および収縮し、着用者に更なる快適さおよび改善されたフィット感を提供することが可能となる。
【００３６】
図１Ｂに示されるように、使い捨て吸収性物品１００の着用者に面する部分は、図を見る者の方に向いている。使い捨て吸収性物品１００は、前側腰部区域１０６、後側腰部区域１０８、および前側腰部区域１０６と後側腰部区域１０８との間に配置される股領域を有するシャーシ１４０をさらに含んでよい。シャーシ１４０は、トップシート１７０、バックシート１７４、および吸収性コア１７８をさらに含んでもよい。吸収性コア１７８は、トップシート１７０の少なくとも一部とバックシート１７４との間に配置され得る。
【００３７】
シャーシ１４０の周囲は長手方向縁部７５Ａおよび７５Ｂ；前側腰縁部５０および後側腰縁部５１によって画定することができる。長手方向縁部７５Ａおよび７５Ｂは、使い捨て吸収性物品１００の長手方向中心線９０と平行している。前側腰縁部５０および後側腰縁部５１は一般に、使い捨て吸収性物品１００の横中心線６０と平行している。シャーシ１４０は、長手方向縁部７５Ａおよび７５Ｂに隣接して配置され得る弾性脚部形状（elastic leg features）１５２をさらに含む。
【００３８】
前側サイドパネル１２４は、前側腰部区域１０６のシャーシ１４０の長手方向縁部７５Ａおよび７５Ｂから外側に延伸し得る。後側サイドパネル１３０は、後側腰部区域１０８のシャーシ１４０の長手方向縁部７５Ａおよび７５Ｂから外側に延伸し得る。前側サイドパネル１２４は、前側取付け要素１３および後側取付け要素１２を介して後側サイドパネル１３０に接合され、使い捨て吸収性物品１００の腰開口部１３６（図１Ａ参照）および脚開口部１３２（図１Ａ参照）を形成し得る。
【００３９】
図示されるように、いくつかの実施形態では、腰部要素１８０は、前側腰部区域１０６に配置され得る第１セグメント１８１および／または、後側腰部区域１０８に配置され得る第２セグメント１８２を含んでもよい。いくつかの実施形態では、腰部部材１８０は、前側腰部区域１０６および後側腰部区域１０８の両方のトップシート１７０に取り付けられ得る。第１セグメント１８１および／または第２セグメント１８２は、第１セグメント１８１または第２セグメント１８２がいずれも、第１長手方向縁部７５Ａまたは第２長手方向縁部７５Ｂを超えて延伸しないように、シャーシ１４０の第１長手方向縁部７５Ａと第２長手方向縁部７５Ｂとの間に配置され得る。。あるいは、第１セグメント１８１および／または第２セグメント１８２は、第１長手方向縁部７５Ａおよび第２長手方向縁部７５Ｂの一方または両方を越えて延伸することが可能である。例えば、第１セグメント１８１および／または第２セグメント１８２は、それぞれ前側サイドパネル１２４および／または後側サイドパネル１３０の外縁まで延伸することができる。
【００４０】
第１セグメント１８１および／または第２セグメント１８２は、それぞれ前側腰縁部５０および後側腰縁部５１を超えて縦方向外側に延伸することができ、少なくとも第１セグメント１８１の領域および／または第２セグメント１８２の領域が使い捨て吸収性物品１００の外部の視点から可視である。第１セグメント１８１および第２セグメント１８２は任意の好適な長さであってよい。例えば、第１セグメント１８１は、約１０ｍｍ〜７５ｍｍの範囲、または該範囲内の任意の特定の数値の長さ１９８を有することができる。第２セグメント１８２は第１セグメント１８１と同様に構成することができる。腰部部材１８０が、第２セグメント１８２とは別個に第１セグメント１８１を含むように、その逆の同様の実施形態もまた考えられる。
【００４１】
図２Ａは、後側腰部区域１０８（図１Ｂ参照）における切断線２Ａ−２Ａを通る使い捨て吸収性物品１００を示す拡大された断面図である。図示されるように、後側サイドパネル１３０の一部分を、トップシート１７０とバックシート１７４との間に配置することができる。後側サイドパネル１３０は、長手方向縁部７５Ａおよび７５Ｂの外側に延伸可能であり、また、バックシート１７４、トップシート１７０またはその両方に取り付けられる長手方向縁部７５Ａおよび７５Ｂの内側の部分を有する。
【００４２】
後側取付け要素１２は使い捨て吸収性物品１００の外側表面２１７の上に配置され得る。同様に第２セグメント１８２は、第２セグメント１８２外側表面２２１に取り付けられる取付け要素１２Ｂを任意で含んでもよい。後側取付け要素１２Ｂによって、腰部部材１８０（図１Ａ参照）が着用者の腰部を取り囲むことができるように、第２セグメント１８２を第１セグメント１８１に取り付けることが可能となる（図１Ｂ参照）。
【００４３】
腰部材の第２セグメント１８２は、使い捨て吸収性物品１００の着用者に面する表面２１５上に配置することが可能である。第２セグメント１８２は、第２セグメント１８２が各後側サイドパネル１３０と同一の広がりを持つように、シャーシ１４０の第１長手方向縁部７５Ａおよび第２長手方向縁部７５Ｂを超えて横方向に延伸することが可能である。第２セグメント１８２はトップシート１７０の部分および各一対の後側サイドパネル１３０の部分に取り付けることができる。使い捨て吸収性物品１００の前側腰縁部５０および／または後側腰縁部５１の部分（図Ａおよび１Ｂ参照）に完成した外観を与えるように、第２セグメント１８２をシャーシの任意の好適な場所に取り付けることができる。
【００４４】
図２Ｂは、本発明により構成された使い捨て吸収性物品１００Ｂを示す拡大された断面図である。図２Ａに示される断面図と同様に、後側サイドパネル１３０は、トップシート１７０とバックシート１７４との間に配置され、トップシート１７０、バックシート１７４またはその両方のいずれかに取り付けることが可能である。しかしながら、図示されるように、バックシート１７４は後側サイドパネル１３０と同一の広がりを持ち、後側サイドパネル１３０の外側端部２０２に延伸することが可能である。ある実施形態において、トップシート１７０もまた後側サイドパネル１３０と一般的に同一の広がりを持つことが可能である。
【００４５】
図示されるように、後側取付け要素１２は使い捨て吸収性物品１００Ｂの外側表面２１７上に配置することができる。同様に、第２セグメント１８２は、第２セグメント１８２の外側表面２２１に取り付けられる取付け要素１２Ｂを任意で含んでもよい。
【００４６】
腰部部材１８０の第２セグメント１８２（図１を参照）は、図２Ａの実施形態と同様に、使い捨て吸収性物品１００Ｂの着用者に面する表面２１５上に配置することができる。第２セグメント１８２は、トップシート１７０の部分および／または後側サイドパネル１３０の部分に取り付けることができる。
【００４７】
図２Ｃは、本発明により構成された使い捨て吸収性物品１００Ｃを示す拡大された断面図である。使い捨て吸収性物品１００Ｃは、第１バックシート層２４１、前側腰部区域、後側腰部区域、およびそれらの間に配置された股領域を有する外側カバー１０４０を含んでもよい。使い捨て吸収性物品１００Ｃは、吸収性組立体１０５０をさらに含んでもよい。吸収性組立体１０５０は、第１長手方向縁部２７５Ａおよび第２長手方向縁部２７５Ｂを有してもよい。吸収性組立体１０５０はまた、トップシート１７０、第２バックシート２４２、および吸収性コア１７８（図１Ｂ参照）を有していてもよい。吸収性組立体１０５０は使い捨て吸収性物品１００Ｃの着用者に面する表面１０１５に接合され得る。吸収性組立体１０５０は、第１長手方向縁部２７５Ａが第１間隙２８０によって第１後側サイドパネル２３０Ａから離間し、第２後側サイドパネル２３０Ｂが第２間隙２８２によって離間するように、外側カバー１０４０に接合され得る。
【００４８】
使い捨て吸収性物品１００Ｃは、吸収性組立体１０５０の長手方向縁部２７５Ａおよび２７５Ｂに隣接したトップシート１７０に取り付けられた、少なくとも２つのバリアレグカフ２５２および２５４をさらに含んでもよい。バリアレグカフ２５２および２５４はまた、第１バックシート層２４１に取り付けられ得る。
【００４９】
バリアレグカフ２５２は、末端領域２６０および近位領域２６５を含み、一方バリアレグカフ２５４は、末端領域２６７および近位領域２６６を含む。バリアレグカフ２５２の近位領域２６５は、第１後側サイドパネル２３０Ａおよび第１バックシート層２４１に、重なり合った仕方で取り付けられ得る。同様に、バリアレッグカフ２５４の近位端２６６は、重なり合った仕方で第２バックサイドパネル２３０Ｂおよび第１バックシート層２４１に取り付けられ得る。バリアレグカフ２５２の末端領域２６０はトップシート１７０および第２バックシート層２４２に取り付けることができる。同様に、バリアレグカフ２５４の末端領域２６７はトップリート１７０および第２バックシート層２４２に取り付けることができる。
【００５０】
図のように、第２セグメント１８２は、末端領域２６０および２６７、並びに近位領域２６５および２６６に隣接したバリアレグカフ２５２および２５４に取り付けることができる。図のように、第２セグメント１８２ははまた、第１後側サイドパネル２３０Ａの部分および第２後側サイドパネル２３０Ｂの部分に取り付けることができる。さらに、第２セグメント１８２は、第２セグメント１８２が、第１および第２後側サイドパネル２３０Ａおよび２３０Ｂの外側縁部２０２Ａおよび２０２Ｂまで延伸するように、第１後側サイドパネル２３０Ａおよび第２後側サイドパネル２３０Ｂと同一の広がりを持つことができる。第２セグメント１８２は、第１および第２後側サイドパネル２３０Ａおよび２３０Ｂの外側縁部２０２Ａおよび２０２Ｂと同一の広がりを持つ必要はない。
【００５１】
図のように、バリアレグカフ２５２および２５４は、それらの後側サイドパネル２３０Ａおよび２３０Ｂへのそれぞれの取付けと第２バックシート層２４２との間の、第１バックシート層２４１に取り付けることができる。バリアレグカフ２５２および２５４の第１バックシート層２４１への取付けは、第１間隙２８０および第２間隙２８２を画定することができる。第１間隙２８０は、第１後側サイドパネル２３０Ａの長さにわたって長手方向に延伸し得る。同様に、第２間隙２８２は、第２サイドパネル２３０Ｂの長さにわたって長手方向に延び得る。第１間隙２８０は、第１後側サイドパネル２３０Ａと第２バックシート層２４２との間に配置された使い捨て吸収性物品１００Ｃの、第１非弾性領域２７１の幅を画定し得、および第２間隙２８２は、第２後側サイドパネル２３０Ｂと第２バックシート２４２との間に配置された使い捨て吸収性物品１００Ｃの、第２非弾性領域２７２の幅を画定し得る。
【００５２】
非弾性領域２７１および２７２の包含は、プルオンおむつのような以前の使い捨てパンツタイプ衣類と比べて多くの利点を提供することが可能である。例えば、第１後側サイドパネル２３０Ａおよび第２後側サイドパネル２３０Ｂが高品質のエラストマー材を含む場合、非弾性領域２７１および２７２の包含はコスト削減を意味することができる。このエラストマー材の節減によって、多いときには一日に数十万個製造される使い捨てプルオン衣料のコストを相当に削減することができる。即ち、第１後側サイドパネル２３０Ａ、第２後側サイドパネル２３０Ｂ、および使い捨て吸収性物品の前側サイドパネルに使用されるエラストマー材の量を最小限に抑え、一方、使い捨て吸収性物品は、以前の使い捨てパンツタイプ衣類より優れているとまではいかなくともなお同等のフィット感および伸張を提供する。
【００５３】
第１および第２間隙２８０および２８２は、側面方向２９９において任意の好適な幅であってよい。例えば、一実施形態では、第１および第２間隙２８０および２８２は、幅約０．５ｍｍ〜約２６ｍｍの範囲、または該範囲内の任意の特定の数値であってもよい。別の実施形態では、第１および第２間隙２８０および２８２は、幅約０．５ｍｍ〜約２０ｍｍの範囲であってもよい。さらに別の実施形態では、第１および第２間隙２８０および２８２は、幅約１ｍｍ〜約１５ｍｍであってもよい。第１間隙２８０および第２間隙２８２は、非弾性領域２７１および２７２とともに米国特許出願公開番号第２００４／０２２５２７３号に説明されている。
【００５４】
図示されているように、後側取付け要素１２は、使い捨て吸収性物品１００Ｃの外側表面２１７の上に配置され得る。同様に、第２セグメント１８２は、第２セグメント１８２の外側表面２２１に取り付けられる取付け要素１２Ｂを任意で含んでもよい。
【００５５】
図２Ｃのバリアレグカフ２５２および２５４は、液体およびその他の体排出物の改善された封じ込めを提供することができる。さらに、これらバリアレグカフ２５２および２５４は、脚領域の体排出物の漏れを軽減するためのいくつかの異なる実施形態を含んでもよい。本発明で使用するための好適なバリアレグカフの具体例は、米国特許第３，８６０，００３号、米国特許第４，９０９，８０３号、米国特許第４，６９５，２７８号、米国特許第４，７９５，４５４号、米国特許第４，７０４，１１５号、および米国特許第４，８０８，１７８号に見い出すことができる。
【００５６】
さらに、バリアレグカフ２５２および２５４は、当該技術分野において既知のいずれかの好適な取付け手段または取付け手段の組み合わせにより、使い捨て吸収性物品１００Ｃに取り付けられてもよい。好適な取付け手段の幾つかの例としては、接着剤接着、熱接着、圧力接着、超音波接着、および動的機械的結合が挙げられるが、これらに限定されない。加えて、幾つかの実施形態では、レッグカフの全てまたは一部を、それが遭遇する糞便物質の硬さを増加させるかまたは低減させるローションまたは糞便改質剤で処理するのが望ましい場合がある。ローション並びに糞便改質剤は、米国特許公開番号第２００４／００３９３６２Ａ１および米国特許第６，６３９，１１９号に説明されている。
【００５７】
図２Ａ〜２Ｃは、第２セグメント１８２を使い捨て吸収性物品に取り付けることのできる場所の具体例を示している。第２セグメント１８２は、任意の好適な場所に、および任意の好適な手段で使い捨て吸収性物品に取り付けることが可能である。また、第２セグメント１８２は、使い捨て吸収性物品の一方の縁部から他方の縁部へと、使い捨て吸収性物品を横断して横方向に延伸する連続的要素であり得る一方、第２セグメント１８２は連続的である、または第２セグメント１８２は使い捨て吸収性物品の一方の縁部から他方の縁部へと延伸する必要はない。
【００５８】
図２Ｄに示すように、例えば、使い捨て吸収性物品１００Ｄは、複数の分離した要素を有する腰部部材１８０（図１Ａおよび１Ｂを参照）の第２セグメント１８２を含む。図示されるように、第２セグメント１８２は、第１後側サイドパネル２３０Ａに取り付けられてもよい第１腰部要素２８５、および第２後側サイドパネル２３０Ｂに取り付けられてもよい第２腰部要素２８７を含んでもよい。第２セグメント１８２は、トップシート１７０の部分に取り付けられてもよい第３腰部要素２８９を含んでもよい。第１腰部要素２８５、第２腰部要素２８７、および第３腰部要素２８９は、後側腰縁部５１（図１Ｂを参照）に隣接して配位置されることができ、重なり合うやり方で互いに取り付けることができる。
【００５９】
後側取付け要素１２は、使い捨て吸収性物品１００ｄの外側表面２１７に配置することができる。同様に、第１腰部要素２８５および第２腰部要素２８７は、第１腰部要素２８５の外側表面２２１ａおよび第２腰部要素２８７の外側表面２２１ｂに取り付けられる、取付け要素１２ｂを任意で含んでもよい。第１腰部要素２８５、第２腰部要素２８７、および／または第３腰部要素２８９が、トップシート１７０とバックシート１７４との間に配置される実施形態が考えられる。
【００６０】
腰部部材の第１セグメント１８１（図１ｂ参照）は、腰部部材の第２セグメント１８２に関して上述したように、前側腰部区域に位置づけることができる。さらに、本明細書で記載した実施形態のいずれにおいても、第１セグメント１８１または第２セグメント１８２は、図２ｄに関して上述したように、複数の分離した要素を含んでもよい。第１セグメント１８１および／または第２セグメント１８２が３つを超える腰部要素または３つより少ない腰部要素を含んでいる実施形態が考えられる。
【００６１】
図３ａに示すように、腰部部材１８０の第１セグメント１８１は、使い捨て吸収性物品１００の着用者に面する表面２１５の上の前側腰縁部５０に隣接するトップシート１７０の部分に取り付けることができる。第１セグメント１８１は、可視領域１８１Ａおよび取付け領域１８１Ｂを含んでもよい。第１セグメント１８１は、可視領域１８１Ａが使い捨て吸収性物品１００の外部の視点から見ることができるように、トップシート１７０の領域に取り付けることができる。取付け領域１８１Ｂは、外部の視点からトップシート１７０およびバックシート１７４を通して必ずしも可視ではない。この実施形態では、第１セグメント１８１が使い捨て吸収性物品１００の着用者に面する表面２１５に取り付けられているので、着用者の胴体下部皮膚は、少なくとも前側腰縁部５０から保護される。
【００６２】
可視領域１８１Ａは、一般に長手方向３９９に平行に測定した距離３９０だけ、前側腰縁部５０を超えて延伸し得る。いくつかの実施形態では、距離３９０は、約０ｍｍ〜約５０ｍｍの範囲、またはかかる範囲内の任意の特定の数値であってもよい。その他の実施形態では、距離３９０は約２ｍｍを超えることができる。その他の実施形態では、距離３９０は約１５ｍｍを超えることができる。さらに別の実施形態では、距離３９０は約３０ｍｍを超えることができる。
【００６３】
男の子用吸収性物品と女の子用吸収性物品との間には区別を設けることができる。例えば、男の子用使い捨て吸収性物品の可視領域１８１Ａは、使い捨て吸収性物品の腰縁部から５０ｍｍの距離３９０だけ延伸してもよい。いくつかの実施形態では、男の子用使い捨て吸収性物品では、距離３９０が１５ｍｍ以上、５０ｍｍ以下、またはかかる範囲内の任意の特定の数値であることができる。これに比べ、女の子用使い捨て吸収性物品の可視領域１８１Ａは、使い捨て吸収性物品の腰縁部から３０ｍｍ未満の距離３９０だけ延伸してもよい。例えば、いくつかの実施形態では、女の子用使い捨て吸収性物品における距離３９０は、約０ｍｍより大きく２０ｍｍ以下、またはかかる範囲内の任意の特定の数値であることができる。
【００６４】
図３Ｂに示されるように、いくつかの実施形態では、第１セグメント１８１は複数の分離した部分を含んでもよい。例えば、第１セグメント１８１は、使い捨て吸収性物品３００Ｂの着用者に面する表面２１５上に配置される第１弾性領域３６７を有してもよい。同様に、第１弾性領域３６８の部分は、使い捨て吸収性物品３００Ｂの着用者に面する表面２１５上に配置することができる。非弾性結合要素３６９は、第１弾性領域３６７と第２弾性領域３６８の両方に取り付けることができる。第１弾性領域３６７、第２弾性領域３６８、および結合要素３６９が、トップシート１７０とバックシート１７４との間に配置されることも考えられる。
【００６５】
いくつかの実施形態では、取付け領域１８１Ｂは、第１弾性領域３６７および非弾性結合要素３６９の部分を含んでもよい。対して、いくつかの実施形態では、可視領域１８１Ａは、第２弾性領域３６８および非弾性結合要素３６９の部分を含んでもよい。
【００６６】
一つの特定の実施形態では、第１セグメント１８１と第２セグメント１８２が取り付けられるとき、第１弾性領域３６７、第２弾性領域３６８、および非弾性結合要素３６９の部分が、着用者の腰部の周囲にベルト様構造を形成できることが一つの利点である。第１弾性領域３６７および第２弾性領域３６８は、物品が着用者によりよいフィット感を与えるように、異なる弾性率を与えることができる。
【００６７】
図３Ｃに示されるように、第１セグメント１８１は、使い捨て吸収性物品３００Ｃのトップシート１７０とバックシート１７４との間に取り付けることができる。図３に示される実施形態と同様に、可視領域１８１Ａは、図３Ａに関して上述したように、前側腰縁部５０から外側に距離３９０だけ延伸することができる。
【００６８】
第１セグメント１８１および第２セグメント１８２（図１Ｂを参照）を、使い捨て吸収性物品の着用者に面する表面、またはトップシート１７０とバックシート１７４の間に取り付けることができるので、使い捨て吸収性物品に完成した前側腰縁部５０の外観および／または完成した後側腰縁部５１の外観（図１Ｂ参照）を設けることができる。さらに、第１セグメント１８１および第２セグメント１８２（図１Ｂ参照）が使い捨て吸収性物品の外側表面に取り付けられていないので、第１セグメント１８１および第２セグメント１８２（図１Ｂ参照）を使い捨て吸収性物品に取り付けるプロセスが容易になる。例えば、第１セグメント１８１および第２セグメント１８２（図１Ｂ参照）のどちらも、前側腰縁部５０または後側腰縁部５１（図１Ｂ参照）について折り畳む必要がなく、腰部部材１８０を使い捨て吸収性物品に適用するプロセスが容易になる。
【００６９】
図３Ｄおよび３Ｅについてはし、第１セグメント１８１が使い捨て吸収性物品の着用者に面する表面に配置されているか、または使い捨て吸収性物品のトップシート１７０とバックシート１７４との間に配置されているかに関わらず、第１セグメント１８１の可視領域１８１Ａを多くの異なる様式に構成することができる。図３Ｃに示すように、例えば、可視領域１８１Ａは、使い捨て吸収性物品３００Ｄの外側表面２１７上の第１セグメント１８１の上に折り畳んで載せることができる。別の例として図３Ｄに示すように、第１セグメント１８１の可視領域１８１Ａは、使い捨て吸収性物品３００Ｅの着用者に面する表面３１５の上の第１セグメント１８１上に折り畳んで載せることができる。
【００７０】
本明細書に記載される実施形態のいずれも、可視領域および取付け領域がバックシートおよびトップシートと異なる色を含むように、腰部部材に着色するないしは別の方法で色をつけることができる。例えば、可視領域および／または取付け領域は色および／または図を含むことができる。いくつかの実施形態では、取付け領域の色および／または図は、色および／または図がトップシートおよびバックシートを通して現れるように構成され得る。。色は、着用者の性別に関連させることができる。例えば、女の子用の吸収性物品では、可視領域および／または取付け領域はピンクの色合いを有する色を含んでもよい。別の例として、男の子用の吸収性物品では、可視領域および／または取付け領域は青の色合いを有する色を含んでもよい。さらに別の例では、可視領域および／または取付け領域は、紫の色合いまたは緑の色合いなどの性別に関わらない色を含んでもよい。更なる例が、米国特許公開番号第２００５／０１２９７４３Ａ１号、米国特許公開番号第２００５／０１２５９２３Ａ１号、および米国特許公開番号第２００５／０１２５８７７Ａ１号に記載されている。
【００７１】
色と同時にまたは色とは別個に、第１セグメントは、可視領域および／または取付け領域にグラフィックまたは子供の図を含んでもよい。グラフィックは任意の好適な視覚映像（１または複数）であってもよい。グラフィックは、写真、スケッチ（drawing）、エンボス、または絵文字および／または画像を作製するのに利用される任意のその他の材料などであるがそれらに限定されない、絵文字および／または画像であってもよい。絵文字および／または画像は、子供の画像、動物または物体の擬人化イメージ、有名な漫画のキャラクターを含む漫画の画像、有名ブランドのロゴ等の画像、および／または、コマースの実施（implement of commerce）に関連させて特に作成されたイメージキャラクター、矢印、印、または動きや動作等などであるがこれらに限定されないシンポル、およびこれらの組み合わせを含んでもよい。グラフィックおよび子供の図形は、米国特許公開番号第２００５／０１２９７４３Ａ１号、米国特許公開番号第２００５／０１２５９２３Ａ１号、および米国特許公開番号第２００５／０１２５８７７Ａ１号に記載されている。
【００７２】
腰部部材１８０を色付けするプロセスが、米国特許第４，０８９，７６５号、同第５，９８９，３８０号、同第６，５４８，４３１号、および国際公開特許ＷＯ第２００４／０７１７８０号に記載されている。腰部部材１８０にグラフィックを加えるのに好適なプロセスもまたこれらの文献に記載されている。
【００７３】
上述した色と同時にまたは色とは別個に、腰部部材はテクスチャ特徴を含んでもよい。テクスチャ特徴は、層、相対的平滑度または粗さの領域を形成して、反射率、着色強化、またはその他の視覚効果を変化させることなどにより、腰部部材と異なる独自の外観および／または触感を付与することが可能である。テクスチャ特徴を形成するのに好適なプロセスの例には、機械的処理（エンボス加工、リングローリング、ボンディング、折り目付け（scoring）、穴開け（puncturing）、またはスリット付けなど）、およびレーザー、熱風、化学物質、またはその他のプロセスなどの非機械的処理が挙げられる。
【００７４】
機械的処理はそれぞれ、特定のタイプのテクスチャ特徴をもたらしてもよい。例えば、エンボス加工は、高温又は低温のどちらかで、平滑な又は模様付きロールのどちらかを用いて実行されてもよく、突出部、凹部、比較的平滑な領域、圧縮領域（及び関連する圧縮抵抗）、又はそれらの組み合わせを結果として生じてもよい。別の例では、リングローリングにより開口部、突出部、凹部、またはそれらの組み合わせを得てもよい。さらに別の実施例では、「複数区域の構造的に弾性様のフィルムウェブの延伸性腰部機構を備えた吸収性物品（Absorbent Article with Multiple Zone Structural Elastic-Like Film Web Extensible Waist Feature）」という名称の米国特許第５，５５４，１４３号（ロー（Roe）ら、１９９６年９月１０日発行）、及び「弾性様挙動を示すウェブ材料（Web Materials Exhibiting Elastic-Like Behavior）」という名称の米国特許第５，５１８，８０１号（シャペル（Chappell）ら、１９９６年５月２１日発行）に開示されているような、構造的に弾性様のフィルム（ＳＥＬＦ）を形成する方法が用いられてもよく、突出部、凹部、又はそれらの組み合わせを結果として生じてもよい。さらに別の実施例では、折り目付け（scoring）によって、相対的粗さまたは不明りょうさの領域などの表面モルホロジーを生じさせてもよい。更に別の実施例では、穴開け（puncturing）によって、三次元の突出部に少なくとも部分的に囲まれた開口部を生じさせてもよい。
【００７５】
テクスチャ特徴を製作するためのその他のプロセスは、腰部部材を、腰部部材が取り付けられる使い捨て吸収性物品のバックシート、トップシート、前側サイドパネル、および／または後側サイドパネルの坪量よりも高い坪量または低い坪量を有する材料から形成することを含んでもよい。その他の代表的なプロセスは、腰部部材を、腰部部材が取り付けられる使い捨て吸収性物品のバックシート、トップシート、前側サイドパネル、および／または後側サイドパネルのデニールよりも高いデニールまたは低いデニールを有する材料から形成することを含んでもよい。テクスチャ特徴を有する腰部部材を提供するための当該技術分野において既知の任意の好適なプロセスを使用することができる。
【００７６】
加えて、第１セグメント、第２セグメント、またはその両方の外側縁部が不均一であるように腰部部材を構成することができる。図４Ａおよび４Ｂに示されるように、第１セグメント、第２セグメント、またはその両方の外側縁部は、当該技術分野において既知の任意の好適な形状を用いてもよい。例えば、女の子用の吸収性物品では、外側縁部は扇形の外側縁部を含んでもよい。別の実施例では、男の子用の吸収性物品では、鋸歯状の外側縁部を含んでもよい。また、本発明に従って構成された使い捨て吸収性物品は、好適な形状の組み合わせを用いた外側部材および／またはその外側部材に様々な寸法の形状を有する外側部材を含んでもよい。
【００７７】
図４Ａに示されるように、使い捨て吸収性物品５００は、腰部部材１８０（図１Ａ参照）の第１セグメント５８１を含んでもよい。第１セグメント５８１は、前側腰縁部５５０の上方に配置された可視領域５８１Ａ、前側腰縁部５５０の下方に配置された取付け領域５８１Ｂを有することができる。さらに、第１セグメント５８１は扇形の外側縁部５３５をさらに含んでもよい。可視領域５８１Ａ、取付け領域５８１Ｂ、色、染め、グラフィック、またはこれらの任意の組み合わせが、よりレースのように見えるために複数の開口を含んでもよい。
【００７８】
図４Ｂに示されるように、使い捨て吸収性物品５０２は、腰部部材１８０（図１Ａ参照）の第１セグメント５２１を含んでもよい。第１セグメント５２１は、前側腰縁部５１０の上方に配置された可視領域５２１Ａおよび前側腰縁部５１０の下方に配置された取付け領域５２１Ｂを有することができる。第１セグメント５２１は鋸歯状の外側縁部５２３をさらに含んでもよい。
【００７９】
加えて、使い捨て吸収性物品５０２は縁部部材６０４をさらに含んでもよい。縁部部材は、使い捨て吸収性物品５０２の長手方向縁部に沿って配置されることができ、完成された外観を有する一対の脚開口部を提供することができる。縁部部材６０４および縁部部材６０４の適用方法は、米国特許公開番号第２００３／００８８２２７Ａ１に記載されている。縁部部材６０４は、本明細書に記載される使い捨て吸収性物品の実施形態のいずれかとともに使用することができる。加えて、縁部部材６０４には、上述のように、染めること、色付けすること、テクスチャ特徴を設けること、またはこれらの任意の組み合わせを提供することが可能である。
【００８０】
図５に示されるように、別の実施形態では、本発明に従って構成された使い捨て吸収性物品６００は、シャーシ１４０に加えて、腰部部材１８０に隣接して配置される前側伸縮部材６５０および後側伸縮部材６５１をさらに含んでもよい。前側伸縮部材６５０および後側伸縮部材６５１は弾性的延伸性でもよく、使い捨て吸収性物品６００の腰部開口部６３６が着用者の腰部の周囲で拡張および収縮することが可能となる。前側伸縮部材６５０は前側腰部区域に配置されてよく、後側伸縮部材６５１は後側腰部区域に配置されてよい。図示のように、前側伸縮部材６５０は使い捨て吸収性物品６００のトップシート６７０の上に配置される。その他の実施形態では、前側伸縮部材６５０および後側伸縮部材６５１は、トップシート６７０と腰部部材１８０との間、またはトップシートとバックシート６７４との間に配置されることが可能である。前側伸縮部材６５０および後側伸縮部材６５１は、使い捨て吸収性物品６００に多くの異なる構成で配置されてもよい。前側腰部材６５０および後側腰部材６５１の両方のための好適な構成の例が、米国特許第４，５１５，５９５号、米国特許第４，７１０，１８９号、米国特許第５，１５１，０９２号、および米国特許第５，２２１，２７４号に記載されている。
【００８１】
本発明の使い捨て吸収性物品は、上記したように、例えば、幅広い種類の材料が使用可能な腰部部材、トップシート、バックシート、吸収性コア等の多くの異なる部材／要素を含む。例えば、任意の好適な材料を腰部部材に使用することが可能である。腰部部材は柔軟でソフトであってよい。さらに、腰部部材は着用者の皮膚に接触し得るので、腰部部材はまた着用者の皮膚に刺激性でなくてよい。代表的な腰部部材は不織布を含むことができる。好適な不織布は、ポリプロピレン、ポリエチレン、ポリエステル、ナイロン、セルロース、ポリアミドまたはかかる材料の混合から製造される繊維を含んでもよい。１つの材料の繊維、又は複数の材料或いは材料の組み合わせの繊維が、第１及び／又は第２の不織布に使用されてもよい。代表的な不織布材としては、スパンボンド、スパンボンド・メルトブロウン・スパンボンド（ＳＭＳ）、スパンボンド・メルトブロウン・メルトブロウン・スパンボンド（ＳＭＭＳ）、カード及び同種のものが挙げられる。特に許容可能な不織布としては、高伸長カード（ＨＥＣ）不織布及び深活性化（deep activation）ポリプロピレン（ＤＡＰＰ）不織布が挙げられる。当該技術分野において既知のいかなるプロセスを使用して、不織布を作製してもよい。
【００８２】
不織布は、内部で結合された繊維を含んでもよく、ニードルパンチ、水流交絡、スパンボンド、熱接着、並びにラテックス接着、粉末接着などの様々な種類の化学結合、及び同様に結合された繊維が挙げられる。特定の実施形態では、不織布の坪量は約１０ｇｓｍ〜約４０ｇｓｍの範囲、またはかかる範囲内の任意の特定の数値であり得る。
【００８３】
繊維は任意の好適な寸法であってよい。いくつかの実施形態では、繊維は、約１〜約１０の範囲、またはかかる範囲内の任意の特定の数値のデニール値であり得る。いくつかの実施形態では、繊維のデニール値は約１〜約８の範囲であり得る。いくつかの実施形態では、繊維のデニール値は約１〜約５の範囲であり得る。
【００８４】
上述のように、本発明による腰部部材は弾性的延伸性であり得る。従って、腰部部材は、当該技術分野において既知の任意の弾性材をさらに含むことができる。好適な弾性材の例には、弾性ストランドまたは弾性フィルムが含まれてもよい。当該技術分野において既知のあらゆる好適な弾性フィルムを使用し得る。好適な弾性フィルムの例は、ポリプロピレン、ポリエチレン、ポリオレフィン、スチレン−イソプレン−スチレン、スチレン−ブタジエン−スチレン、またはそれらの組み合わせを含んでもよい。
【００８５】
本発明と適合性のある当該技術分野において既知のあらゆるトップシートを本発明で使用し得る。トップシートに適した材料は、多孔質発泡体、網状発泡体、有孔のプラスチックフィルム、あるいは天然繊維の織布または不織布材（例えば、木または綿繊維）、合成繊維（例えば、ポリエステルまたはポリプロピレン繊維）、あるいは天然および合成繊維の組合わせなど、広範囲の材料から製造されてもよい。一例として、トップシートでの使用に適した材料は、インターナショナルペーパー社（International Paper Company）（マサチューセッツ州ウォルポール（Walpole））の一部門、ヴェラテック社（Veratec, Inc.）により、Ｐ−８の表記で製造されたステープル長のポリプロピレン繊維のウェブを含む。
【００８６】
好適なトップシートのいくつかの例が、さらに、米国特許第３，９２９，１３５号、同第４，３２４，２４６号、同第４，３４２，３１４号、同第４，４６３，０４５号、同第５，００６，３９４号、同第４，６０９，５１８号、同第４，６２９，６４３号に記載されている。トップシートのいずれの部分も、当該技術分野において既知のローションでコーティングされてもよい。好適なローションの例は、米国特許第５，６０７，７６０号、同第５，６０９，５８７号、同第５，６３５，１９１号、同第５，６４３，５８８号、同第５，９６８，０２５号、同第６，７１４，４４１号およびＰＣＴ国際公開特許番号ＷＯ９５／２４１７３号に記載されているものを含む。
【００８７】
さらに、トップシートは、トップシートと吸収性コアとに空間を提供するように、完全にまたは部分的に弾性的延伸性であるか、短縮されていてもよい。弾性トップシートまたは収縮されたトップシートを包含する代表的な構造体は、米国特許第４，８９２，５３６号、米国特許第４，９９０，１４７号、米国特許第５，０３７，４１６号、および米国特許第５，２６９，７７５号にさらに詳細に説明される。
【００８８】
本発明の使い捨て吸収性物品で使用するための好適なバックシートは、積層構造体を含んでもよい。例えば、先に検討したように、バックシートは、第１バックシート層と第２バックシート層と（図２Ｃの品目２４１および２４２参照）を含んでもよい。第２バックシート層は、液体（例えば、尿）に対して不透過性であり、また例えば、約０．０１２ｍｍ（０．５ミル）から約０．０５１ｍｍ（２．０ミル）の厚さを有する熱可塑性フィルムのような薄いプラスチックフィルムを含み得る。好適なバックシートフィルムとしては、トレデガー社（Tredegar Corporation）（本拠地バージニア州リッチモンド）により製造され、商標名ＣＰＣ２フィルムとして販売されるものが挙げられる。第１バックシート層および／または第２バックシート層は、プルオン衣料から蒸気を逃がす一方で、排出物がバックシートを通過することを尚も防ぐ通気性材料を包含してもよい。好適な通気性素材としては、織ウェブ、不織ウェブ、複合材（フィルムコーティング不織ウェブなど）、並びにミクロ孔質フィルム（日本の三井東圧化学株式会社製のＥＳＰＯＩＲ  ＮＯ、及びバージニア州リッチモンドのトレデガー社（Tredegar Corporation）製の表記ＥＸＡＩＲＥで販売）、およびモノリシックフィルム（オハイオ州シンシナティーのクロペイ社（Clopay Corporation）製、商品名ＨＹＴＲＥＬ  ｂｌｅｎｄ  Ｐ１８−３０９７）が挙げられる。いくつかの通気性複合材料が、ＰＣＴ国際公開特許出願番号ＷＯ９５／１６７４６、米国特許第５，９３８，６４８号、米国特許第５，８６５，８２３号、および米国特許第５，５７１，０９６号に詳細に記載されている。
【００８９】
バックシートまたはそのいかなる部分も、一方向以上に弾性的延伸性であってもよい。一実施形態では、バックシートは、構造的弾性様フィルム（「ＳＥＬＦ」）ウェブを含んでもよい。構造弾性様フィルムウェブは、追加の弾性材料を使用せずに伸長方向に弾性様挙動を示す延伸性材料であり、更に詳細には、米国特許第５，５１８，８０１号に記載されている。代替的実施形態では、バックシートは弾性フィルム、発泡体、ストランド、またはこれらの組み合わせ、或いは不織布または合成フィルムを有するその他の好適な材料を含んでもよい。
【００９０】
本発明で使用するための好適な吸収性コアは、一般に圧縮性で、適合性があり、着用者の皮膚に対して刺激がないと共に、尿およびその他のある種の排泄物などの液体を吸収して保持できる、いかなる吸収性材料をも含んでもよい。加えて、吸収性コアの構成および構造はまた、変化してもよい（例えば、吸収性コア（単数若しくは複数）または他の吸収性構造体（単数若しくは複数）は、変化するキャリパーゾーン、親水性の勾配（単数若しくは複数）、超吸収性の勾配（単数若しくは複数）、またはより低い平均密度およびより低い平均坪量の獲得区域を有してもよく、または１つ以上の層若しくは構造を含んでもよい）。吸収性コア用として使用するための好適な例示的吸収性構造体が、米国特許第４，６１０，６７８号、米国特許第４，６７３，４０２号、米国特許第４，８３４，７３５号、米国特許第４，８８８，２３１号、米国特許第５，１３７，５３７号、米国特許第５，１４７，３４５号、米国特許第５，３４２，３３８号、米国特許第５，２６０，３４５号、米国特許第５，３８７，２０７号、および米国特許第５，６２５，２２２号に記載されている。
【００９１】
バックシートは、当該技術分野において既知の取付け手段によって、トップシート、吸収性コア、または使い捨て吸収性物品のいずれか他の要素に、取り付けられてもよい。例えば、取付け手段としては、接着剤の均一な連続層、接着剤のパターン付き層、又は接着剤の個々の線、らせん、若しくは点の配列を挙げることができる。いくつかの好適な取付け手段が、米国特許第４，５７３，９８６号、米国特許第、３，９１１，１７３号、米国特許第４，７８５，９９６号、および米国特許第４，８４２，６６６号に開示されている。好適な接着剤の例はＨ．Ｂ．フラー社（H.B.Fuller Company）によって製造され、ＨＬ−１６２０及びＨＬ１３５８−ＸＺＰとして市販されている。あるいは、取付け手段は、熱ボンド、圧力接着、超音波接着、動的機械的結合、若しくは当該技術分野で既知の他の好適な取付け手段、又はこれら取付け手段の組み合わせを含んでもよい。
【００９２】
本明細書に記載した締着要素は、使い捨て吸収性物品の周囲に横方向の張力を提供して、使い捨て吸収性物品を着用者に保持するように、前側腰部区域および後側腰部区域の構造を維持することが好ましい。すべての他の既知の締着手段が一般に受け入れられているが、締着要素には、好ましくはテープ状ひもなどの表面締結具、フック及びループ締着コンポーネント、フックとフック、及び／又は雌雄締着コンポーネントが含まれる。代替の実施形態では、物品の対向する側面を縫い合わせるか、又は溶着させて、パンツを形成してもよい。これにより、この物品が、トレーニングパンツなどのプルオン型おむつとして使用可能になる。
【００９３】
いくつかの代表的な面締着装置が、米国特許第３，８４８，５９４号、米国特許第４，６６２，８５３号、米国特許第４，８４６，８１５号、米国特許第４，８９４，０６０号、米国特許第４，９４６，５２７号、米国特許第５，１５１，０９２号、および米国特許第５、２２１、２７４号に開示されている。代表的な連動締着装置が、同時係属米国特許第６，４３２，０９８号に開示されている。締着装置はさらに：米国特許第４，９６３，１４０号に開示されているような使い捨て構成に物品を保持するための手段を提供し、米国特許第４，６９９，６２２号に開示されているような、一次および二次締結システムを含み；米国特許第５，２４２，４３６号に開示されているような重なり合い部分のシフトを軽減するための手段またはフィット感を向上させる手段を提供し；および米国特許第５，５０７，７３６号および米国特許第５，５９１，１５２号に開示されているような、着用者の腹部に隙間ができるのを妨げるための手段を提供する。
【００９４】
様々な副層が、トップシートとバックシートの間に配置されてもよい。副層は、身体滲出物を受容する、貯蔵する、又は固定化することのできるいかなる材料又は構造体であってもよい。したがって、副層は、単一材料、又は相互に動作可能に連動する多くの材料を含んでもよい。さらに、副層は、プルオン使い捨て吸収性物品の他の要素と一体であることも、使い捨て吸収性物品の１以上の要素と直接的に若しくは間接的に取り付けられた１以上の別々の要素であることもある。さらに、副層は、吸収性コアから分離した構造体を包含してもよく、または、吸収性コアの少なくとも一部を包含するかまたは一部であってもよい。
【００９５】
副層として使用するのに好適な代表的な材料としては、大型連続気泡発泡体、マクロ孔質耐圧縮不織布嵩高品、連続気泡発泡体及び閉塞気泡発泡体の大型粒子状成形物（large size particulate forms）（マクロ孔質及び／又はミクロ孔質）、嵩高不織布、ポリオレフィン、ポリスチレン、ポリウレタン発泡体又は粒子、多数の垂直配向のループ状繊維ストランドを含む構造体、打ち抜き穴又は窪みを有する上述の吸収性コア構造体などを挙げることができる。（本明細書で使用する時、用語「ミクロ孔質」とは、毛管現象により流体を移送できる材料を指す。用語「マクロ孔質」とは、孔が大きすぎて流体の毛管移送ができない材料を指し、一般に直径が約０．５ｍｍよりも大きい孔を有し、より厳密には、直径が約１．０ｍｍより大きい孔を有する。）副層の一実施形態は、非圧縮厚さ約１．５ｍｍを有する、機械的に締結するループランディング要素（ＸＰＬ−７１２４として３Ｍ社（ミネソタ州ミネアポリス）から入手できる）を含む。別の実施形態は、１平方メートル当たり１１０グラムの坪量及び７．９ミリメートルの非圧縮厚みを有する、けん縮され樹脂結合された６デニールの不織布嵩高品を含み、これは、グリット社（Glit Company）（ジョージア州レンス（Wrens））から入手できる。その他の好適な吸収性および非吸収性サブレイヤが、米国特許第６，６８０，４２２号および米国特許第５，９４１，８６４号に記載されている。さらに、サブレイヤ、またはそのいずれかの部分は、要素の機能またはその他の特徴を、加え、増強し、または変化させるための、ローションまたはその他の既知の物質を、含むまたはそれによりコーティングされ得る。。
【００９６】
本発明の実施形態は、また、排泄物を受取り封入するためのポケット、排泄物のための空隙を提供するスペーサ、物品内での排泄物の移動を制限するためのバリア、プルオン使い捨て吸収性物品内に堆積された排泄物質を受容し封入する隔室もしくは空隙など、またはこれらのあらゆる組み合わせを包含してもよい。吸収性製品にて使用するためのポケット及びスペーサの例は、米国特許第５，５１４，１２１号；米国特許第５，１７１，２３６号、；米国特許第５，３９７，３１８号；米国特許第５，５４０，６７１号；米国特許第６，１６８，５８４号；米国特許第５，３０６，２６６号；およびa米国特許第５，９９７，５２０号に記載されている。区画または空隙の例は、米国特許第４，９６８，３１２号；米国特許第４，９９０，１４７号；米国特許第５，０６２，８４０号；および米国特許第５，２６９，７５５号に開示されている。好適な横断方向の障壁は、米国特許第５，５５４，１４２号；ＰＣＴ国際公開特許第ＷＯ９４／１４３９５号；および米国特許第５，６５３，７０３号に記載されている。粘度の低い糞便の管理に好適なその他の例が、米国特許第５，９４１，８６４号；米国特許第５，９７７，４３０号；および米国特許第６，０１３，０６３号に開示されている。
【００９７】
本発明の実施形態は、加湿性事象による水分を、使い捨て吸収性物品内部の水分反応性部材に分配するように構成できる、獲得／分配層を含んでもよい。好適な獲得／分配層の例が、米国特許第５，４６０，６２２号、米国特許出願公開番号第２００５／００２７２６７号、および米国特許出願公開番号第２００５／００９１７３号に記載されている。
【００９８】
本発明の実施形態は、当該技術分野において周知のダスティング層を含んでもよい。好適なダスティング層の例が、米国特許第４，８８８，２３１号に記載されている。
【００９９】
本発明の「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【０１００】
本発明の特定の実施形態を説明及び記述してきたが、本発明の精神及び範囲から逸脱することなく他の様々な変更及び修正を行えることが当業者には明白であろう。したがって、本発明の範囲内にあるそのような全ての変更及び修正を、添付の特許請求の範囲で扱うものとする。
【図面の簡単な説明】
【０１０１】
【図１Ａ】本発明にしたがって構成された使い捨て吸収性物品を示している。
【図１Ｂ】図１Ａの使い捨て吸収性物品の、平坦で、非収縮の状態（即ち、収縮材に誘発された収縮がない）を示す部分切り欠け図。
【図２Ａ】図１Ｂの切断線２Ａ−２Ａを通る使い捨て吸収性物品を示す拡大された断面図。
【図２Ｂ】本発明に従って構成された使い捨て吸収性物品のその他の実施形態を示す拡大された断面図。
【図２Ｃ】本発明に従って構成された使い捨て吸収性物品のその他の実施形態を示す拡大された断面図。
【図２Ｄ】本発明に従って構成された使い捨て吸収性物品のその他の実施形態を示す拡大された断面図。
【図３Ａ】図１Ｂの切断線３Ａ−３Ａを通る使い捨て吸収性物品を示す拡大された断面図。
【図３Ｂ】本発明に従って構成された使い捨て吸収性物品のその他の実施形態を示す拡大された断面図。
【図３Ｃ】本発明に従って構成された使い捨て吸収性物品のその他の実施形態を示す拡大された断面図。
【図３Ｄ】本発明に従って構成された使い捨て吸収性物品のその他の実施形態を示す拡大された断面図。
【図３Ｅ】本発明に従って構成された使い捨て吸収性物品のその他の実施形態を示す拡大された断面図。
【図４Ａ】本発明に従って構成された使い捨て吸収性物品のその他の実施形態を示す拡大された断面図。
【図４Ｂ】本発明に従って構成された使い捨て吸収性物品のその他の実施形態を示す拡大された断面図。
【図５】本発明に従って構成された使い捨て吸収性物品の別の実施形態である。
【図１Ａ】
2009511158.tif 000003
【図１Ｂ】
2009511158.tif 000004
【図２Ａ】
2009511158.tif 000005
【図２Ｂ】
2009511158.tif 000006
【図２Ｃ】
2009511158.tif 000007
【図２Ｄ】
2009511158.tif 000008
【図３Ａ】
2009511158.tif 000009
【図３Ｂ】
2009511158.tif 000010
【図３Ｃ】
2009511158.tif 000011
【図３Ｄ】
2009511158.tif 000012
【図３Ｅ】
2009511158.tif 000013
【図４Ａ】
2009511158.tif 000014
【図４Ｂ】
2009511158.tif 000015
【図５】
2009511158.tif 000016
【国際調査報告】
2009511158.tif 000017
2009511158.tif 000018
2009511158.tif 000019